(57)【要約】【課題】  燃料ガス供給開始時の発電電圧を抑制すると共に、燃料極が燃料ガスで置換されたこと正確に判断する。【解決手段】  システム起動時に、コントローラ２は、空気極１ｂに酸化剤ガスを供給させない状態にコンプレッサ２１を制御し、水素極１ａに水素ガスを供給するように水素圧力調整弁１２の開度を制御し、水素極１ａが水素ガスによって置換されたと判断するまで、電圧センサ３により検出されている燃料電池１の発電電圧が所定値以下となるように予備負荷４で発電電圧を消費させる。また、このコントローラ２は、水素極１ａが水素ガスに置換されたと判断するときに、燃料電池１での電気化学反応によって消費された水素量を考慮する。【選択図】      図１
2005235546.tif 000002
【特許請求の範囲】
【請求項１】
燃料極に燃料ガスが供給されると共に、酸化剤極に酸化剤ガスが供給されて発電する燃料電池と、
前記燃料電池の燃料ガス入口に接続された燃料ガス供給流路を介して前記燃料電池の燃料極に燃料ガスを供給し、前記燃料電池の燃料ガス出口に接続された燃料ガス排出流路を介して前記燃料電池から排出された燃料ガスを排出する燃料ガス供給手段と、
前記燃料電池の酸化剤ガス入口に接続された酸化剤ガス供給流路を介して前記燃料電池の酸化剤ガス極に酸化剤ガスを供給し、前記燃料電池の酸化剤ガス出口に接続された酸化剤ガス排出流路を介して前記燃料電池から排出された酸化剤ガスを排出する酸化剤ガス供給手段と、
前記燃料電池の発電電力を消費して、前記燃料電池の発電電圧を調整する電力消費手段と、
前記燃料電池の発電電圧を検出する発電電圧検出手段と、
システム起動時に、前記酸化剤極に酸化剤ガスを供給させない状態で、前記燃料極に燃料ガスを供給するように前記燃料ガス供給手段を制御し、前記燃料極が燃料ガスによって置換されたと判断するまで、前記発電電圧検出手段により検出されている燃料電池の発電電圧が所定値以下となるように前記電力消費手段で発電電圧を消費させる起動制御手段と
を備えることを特徴とする燃料電池システム。
【請求項２】
前記燃料ガス供給手段は、前記燃料ガス供給流路に流れる燃料ガス流量を調整する可変絞り弁が設けられて構成され、
前記起動制御手段は、前記燃料極に供給する燃料ガス流量が一定となるように可変絞り弁の開度を調整し、前記燃料極の実際のガス圧力を前記燃料電池の電気化学反応により消費された水素量に基づいて補正し、このガス圧力補正値が所定値以下となった場合に、前記燃料極が燃料ガスによって置換されたと判断することを特徴とする請求項１に記載の燃料電池システム。
【請求項３】
前記燃料ガス供給手段は、前記燃料ガス供給流路に流れる燃料ガス流量を調整する可変絞り弁が設けられて構成され、
前記起動制御手段は、前記燃料極に供給する燃料ガス圧力が一定となるように可変絞り弁の開度を調整しているときに、前記可変絞り弁の実際の開度を前記燃料電池の電気化学反応により消費された水素量に基づいて補正し、この開度補正値が所定値以上となった場合に、前記燃料極が燃料ガスによって置換されたと判断することを特徴とする請求項１に記載の燃料電池システム。
【請求項４】
前記燃料ガス供給手段は、前記燃料ガス供給流路に流れる燃料ガス流量を調整する可変絞り弁と、前記燃料電池から排出された燃料ガスを前記燃料ガス供給流路に循環させるエゼクタポンプとを備え、
前記起動制御手段は、前記燃料極に供給する燃料ガス流量が一定となるように可変絞り弁の開度を調整し、前記燃料極の実際のガス圧力を前記燃料電池の電気化学反応により消費された水素量に基づいて補正し、このガス圧力補正値が所定値以下となった場合に、前記燃料極が燃料ガスによって置換されたと判断することを特徴とする請求項１に記載の燃料電池システム。
【請求項５】
前記燃料ガス供給手段は、前記燃料ガス供給流路に流れる燃料ガス流量を調整する可変絞り弁と、前記燃料電池から排出された燃料ガスを前記燃料ガス供給流路に循環させるエゼクタポンプとを備え、
前記起動制御手段は、前記燃料極に供給する燃料ガス圧力が一定となるように可変絞り弁の開度を調整しているときに、前記可変絞り弁の実際の開度を前記燃料電池の電気化学反応により消費された水素量に基づいて補正し、この開度補正値が所定値以上となった場合に、前記燃料極が燃料ガスによって置換されたと判断することを特徴とする請求項１に記載の燃料電池システム。
【請求項６】
前記燃料ガス供給手段は、前記燃料ガス供給流路に流れる燃料ガス流量を調整する可変絞り弁と、当該可変絞り弁のガス下流側に設けられ、前記燃料電池から排出された燃料ガスを前記燃料ガス供給流路に循環させるエゼクタポンプとを備え、
前記起動制御手段は、前記燃料極に供給する燃料ガス圧力が一定となるように可変絞り弁の開度を調整しているときに、前記可変絞り弁と前記エゼクタポンプとの間の実際のガス圧力を前記燃料電池の電気化学反応により消費された水素量に基づいて補正し、このガス圧力補正値が所定値以上となった場合に、前記燃料極が燃料ガスによって置換されたと判断することを特徴とする請求項１に記載の燃料電池システム。
【請求項７】
前記起動制御手段は、前記燃料極のガス圧力を前記燃料電池の温度に基づいて補正することを特徴とする請求項２又は請求項４に記載の燃料電池システム。
【請求項８】
前記起動制御手段は、前記可変絞り弁の開度を前記燃料電池の温度に基づいて補正することを特徴とする請求項３又は請求項５に記載の燃料電池システム。
【請求項９】
前記起動制御手段は、前記可変絞り弁と前記エゼクタポンプとの間のガス圧力を前記燃料電池の温度に基づいて補正することを特徴とする請求項６に記載の燃料電池システム。
【発明の詳細な説明】
【技術分野】
【０００１】
本発明は、燃料電池スタックの酸化剤極に酸化剤ガスを供給すると共に、燃料極に燃料ガスを供給して発電させる燃料電池システムに関する。
【背景技術】
【０００２】
従来より、燃料電池スタックを発電させる場合に、燃料極に水素ガスを供給すると共に、酸化剤極に空気を供給して発電させる燃料電池システムが知られている。
【０００３】
このような燃料電池システムは、下記の特許文献１に記載されているように、システム起動時に、燃料極に燃料ガスのみを供給することにより、燃料極の全体が燃料ガスで十分に置換された後、酸化剤極への酸化剤ガスの供給開始と略同時に、燃料電池スタックを外部負荷に接続している。これにより、従来では、無負荷状態で燃料電池スタックが高電圧状態となることを避け、酸化剤極の触媒層の腐食に起因した劣化を抑制すると共に、燃料極内での燃料ガス不足による燃料極の触媒層の腐食に起因した劣化を抑制している。
【０００４】
また、従来の燃料電池システムは、前回にシステム停止をした後の経過時間が長く、拡散等によって酸化剤極に酸素が十分存在していた場合、燃料ガスの供給開始時に燃料ガスが十分に供給される部分と供給されない部分とが発生し、当該燃料ガスが十分に供給される部分において高電圧状態となり、触媒腐食が発生する可能性がある。これに対し、下記の特許文献２では、無負荷状態の高電圧状態を避けるために、燃料ガスの供給を実施した後、駆動モータ等とは別個に設けた予備的な負荷を燃料電池スタックに接続して発電電圧を所定値以下となるように消費させ、触媒層の腐食に起因した劣化を抑制している。
【０００５】
更に、下記の特許文献３では、燃料極に接続された燃料ガス配管経路中の非燃料ガス成分を燃料ガスで置換する際に、非燃料ガスと燃料ガスとの分子量の違いにより、燃料ガス供給量に対する燃料ガス圧力値、又は燃料ガス圧力に対する燃料ガス供給量を判断して、供給した燃料ガスによって燃料極が燃料ガスで置換されたかを判断し、燃料ガス不足による燃料極側の触媒層の腐食や劣化の抑制や、必要以上の燃料ガスの排出を抑制している。
【特許文献１】特開平９−１２０８３０号公報
【特許文献２】特公平７−６３０２０号公報
【特許文献３】特開２００２−３１３３９０号公報
【発明の開示】
【発明が解決しようとする課題】
【０００６】
しかしながら、上述した従来の特許文献２に記載された燃料電池システムでは、燃料ガスの供給を開始した後、燃料電池スタックの発電電圧を触媒層の腐食が生じない所定値以下に制御しながら、燃料極が燃料ガスで置換されるまで待機する技術では、燃料ガスを供給開始した時の燃料電池スタックの発電電圧の抑制を考慮すると共に、燃料極内を非燃料ガスが満たされている状態から燃料ガス濃度が高い状態に短時間で置換する必要がある。
【０００７】
そこで、本発明は、上述した実情に鑑みて提案されたものであり、燃料ガス供給開始時の発電電圧を抑制すると共に、燃料極が燃料ガスで置換されたこと正確に判断することができる燃料電池システムを提供することを目的とする。
【課題を解決するための手段】
【０００８】
本発明は、燃料極に燃料ガスが供給されると共に、酸化剤極に酸化剤ガスが供給されて発電する燃料電池と、燃料電池の燃料ガス入口に接続された燃料ガス供給流路を介して燃料電池の燃料極に燃料ガスを供給し、燃料電池の燃料ガス出口に接続された燃料ガス排出流路を介して燃料電池から排出された燃料ガスを排出する燃料ガス供給手段と、燃料電池の酸化剤ガス入口に接続された酸化剤ガス供給流路を介して燃料電池の酸化剤ガス極に酸化剤ガスを供給し、燃料電池の酸化剤ガス出口に接続された酸化剤ガス排出流路を介して燃料電池から排出された酸化剤ガスを排出する酸化剤ガス供給手段と、燃料電池の発電電力を消費して、燃料電池の発電電圧を調整する電力消費手段と、燃料電池の発電電圧を検出する発電電圧検出手段とを備えた燃料電池システムであって、システム起動時に、起動制御手段は、酸化剤極に酸化剤ガスを供給させない状態で、燃料極に燃料ガスを供給するように燃料ガス供給手段を制御し、燃料極が燃料ガスによって置換されたと判断するまで、発電電圧検出手段により検出されている燃料電池の発電電圧が所定値以下となるように電力消費手段で発電電圧を消費させることにより、上述の課題を解決する。
【発明の効果】
【０００９】
本発明に係る燃料電池システムによれば、酸化剤極に酸化剤ガスを供給させない状態で、燃料極に燃料ガスを供給し、燃料極が燃料ガスによって置換されたと判断するまで、燃料電池の発電電圧が所定値以下となるように電力消費手段で発電電圧を消費させるので、電極触媒の腐食を進行させるエネルギーを抑制することができると共に、燃料極内が燃料ガスに確実に置換したことを判断することができるので、通常発電に移行した後に燃料極内の燃料ガスが不足するという事態を回避することができる。
【発明を実施するための最良の形態】
【００１０】
以下、本発明の実施の形態について図面を参照して説明する。
【００１１】
［第１実施形態］
本発明は、例えば図１に示すように構成された第１実施形態に係る燃料電池システムに適用される。この燃料電池システムは、例えば車両に搭載され、当該車両の走行トルクを発生させる駆動モータ等の負荷に電力供給を行うと共に、蓄電池に電力を充電するものである。
【００１２】
［燃料電池システムの構成］
この燃料電池システムは、図１に示すように、燃料ガス及び酸化剤ガスが供給されることにより発電する燃料電池スタック１を備える。この燃料電池スタック１は、例えば、固体高分子電解質を挟んで水素極１ａと空気極１ｂとを対設した燃料電池セル構造体が複数積層して構成されている。本例においては、燃料電池スタック１が電気化学反応を発生させるための燃料ガスとして水素ガスを水素極１ａに供給すると共に、酸化剤ガスとして酸素を含む空気を空気極１ｂに供給する燃料電池システムについて説明する。
【００１３】
この燃料電池システムは、燃料電池スタック１に空気を供給して排出する空気系、燃料電池スタック１に水素ガスを供給させる水素ガス系を備える。なお、本例においては燃料電池スタック１を加湿する加湿用純水を循環させる加湿用純水系、燃料電池スタック１の温度調整をする冷却水を循環させる冷却水系の図示を省略している。この燃料電池システムでは、燃料電池スタック１の発電を制御するに際して、水素ガス系及び空気系の各部をコントローラ２により制御する。
【００１４】
水素ガス系は、燃料電池スタック１の水素ガス入口に接続された水素供給流路Ｌ１に、水素ボンベ１１、水素圧力調整弁１２及びアクチュエータ１３が設けられ、燃料電池スタック１の水素ガス出口に接続された水素排出流路Ｌ２に、パージ弁１４及びアクチュエータ１５が設けられて構成されている。
【００１５】
この水素ガス系は、燃料電池システムの通常運転時において、水素ボンベ１１に貯蔵した高圧水素を水素ガスとして水素極１ａに導く。このとき、水素ガス系は、コントローラ２によりアクチュエータ１３が駆動されて、水素圧力調整弁１２の開度が調整される。これにより、水素ガスは、水素圧力調整弁１２によって適正な圧力に調圧制御されて、水素極１ａに導入される。なお、コントローラ２は、水素極１ａ内のガス圧力を検出するアノード極内圧力センサ（図示せず）の検出値を参照して、所望の圧力となるように水素圧力調整弁１２の開度調整を行う。
【００１６】
また、この水素ガス系は、水素極１ａ内に水素ガス以外の不純物が蓄積した場合に、パージ弁１４を開状態とするようにアクチュエータ１５を駆動することにより、水素ガスと共に不純物を外気に放出する。
【００１７】
このような水素ガス系は、燃料電池システムの起動時に、水素供給流路Ｌ１、水素極１ａのガスを水素で置換するために、後述の空気系により空気を空気極１ｂに供給しない状態で、水素ガスのみを水素極１ａに供給するように制御される。
【００１８】
空気系は、空気極１ｂの空気入口と接続された空気供給流路Ｌ３にコンプレッサ２１が設けられ、空気極１ｂの空気出口と接続された空気排出流路Ｌ４に空気調圧弁２２及びアクチュエータ２３が設けられて構成されている。
【００１９】
この空気系は、燃料電池システムの通常運転時において、コントローラ２によりコンプレッサ２１のコンプレッサモータ（図示せず）の回転数が制御され、外気を取り込んで圧縮空気として空気極１ｂの空気入口に導入する。このとき、コントローラ２は、図示しない空気圧力センサの検出値を参照して、空気極１ｂ内の空気圧力を所望の圧力値とするようにアクチュエータ２３を駆動して、空気調圧弁２２の開度調整を行う。そして、燃料電池スタック１の空気出口から排出された空気は、空気排出流路Ｌ４及び空気調圧弁２２を通過して、外気に排出される。
【００２０】
このような空気系は、燃料電池システムの起動時に、水素供給流路Ｌ１及び水素極１ａに定常的に水素ガスが流れるようになるように、空気を空気極１ｂに供給しない状態とされる。
【００２１】
更に、この燃料電池システムは、燃料電池スタック１の発電電圧を検出する電圧センサ３及び上述の駆動モータ等の負荷とは別個に設けられた予備負荷４を備える。
【００２２】
電圧センサ３は、燃料電池スタック１の発電電圧を検出し、当該発電電圧がセンサ信号としてコントローラ２に読み込まれる。このセンサ信号は、コントローラ２により燃料電池スタック１の発電量を制御する場合や、燃料電池スタック１の状態を監視するために使用される。
【００２３】
予備負荷４は、燃料電池システムの起動時であって、水素ガスの供給開始時に発生する発電電力を消費するために備えられる。この予備負荷４は、例えばダミー抵抗と開閉器とからなり、コントローラ２により開閉器が開状態（開放状態）とされている場合には発電電力をダミー抵抗で消費させず、コントローラ２により開閉器が閉状態（導通状態）とされている場合には発電電力をダミー抵抗で消費させる。このような予備負荷４は、燃料電池システムの起動時において、コントローラ２により開閉器が閉状態とされ、燃料電池スタック１のカソード触媒腐食劣化抑制を招く高電圧が印加される。なお、この予備負荷４は、固定抵抗値のものや可変抵抗のものを使用しても良く、要するに燃料電池スタック１の発電電圧を、カソード電極触媒の腐食を発生させない所定値以下とするものであれば良い。
【００２４】
コントローラ２は、後述する燃料電池システムの起動処理等を行う手順を実行するＣＰＵ（Central Processing Unit）や、上述した各部とのインターフェース回路等からなる。このコントローラ２は、例えば外部からの燃料電池システムの起動命令、更には車両用駆動モータに要求される駆動トルクに従って、上述した各部を制御する。
【００２５】
［燃料電池システムの起動処理］
つぎに、上述したように構成された燃料電池システムの起動処理について、図２のフローチャート及び図３のタイミングチャートを参照して説明する。
【００２６】
この起動処理は、例えば車両のＩＧＮスイッチが運転者にオン操作されることにより、コントローラ２に燃料電池システムの起動命令が入力されることに応じて、ステップＳ１以降の処理を開始する。
【００２７】
先ずステップＳ１において、コントローラ２は、コンプレッサ２１を停止状態に維持したままにすることにより空気極１ｂへの空気供給を遮断した状態で、水素極１ａへの水素供給量が一定になるように水素圧力調整弁１２の開度を調整する。このとき、コントローラ２は、パージ弁１４を所定開度で開状態とするようにアクチュエータ１５を制御しておく。これに対し、燃料電池システムは、時刻ｔ１にて水素極１ａへの水素ガスの供給が開始され、時刻ｔ１２にて水素ガス流量が所定流量まで立ち上がる（図３（ｂ））。
【００２８】
これにより、水素ガスは水素ボンベ１１から水素圧力調整弁１２を介して水素極１ａに導入され、水素供給流路Ｌ１及び水素極１ａに存在していた残留ガスは、外部に排出開始される。
【００２９】
このステップＳ１おいては、コンプレッサ２１を停止状態としているために空気極１ｂに空気供給を行っていないが（図３（ａ））、燃料電池システムの停止期間において空気極１ｂ内に酸素が残存していることにより、時刻ｔ１から供給開始した水素ガスと残存していた酸素とを使用した電気化学反応が開始されて、時刻ｔ１から発電電圧（図３（ｃ））が立ち上がる。この発電電圧の立ち上がりは、電圧センサ３で検出され、コントローラ２で認識される。
【００３０】
このように水素ガスの供給を開始した場合、水素極１ａの残留ガス（空気）の分子量（ガス密度）が水素ガスの分子量よりも高い（例えば約１４倍）ので、パージ弁１４から残留ガスが排出されにくい状態となっている。したがって、水素極１ａへの水素ガス供給流量に対して残留ガスの排出流量が少なく、水素極１ａ内の圧力は高くなり（図３（ｅ））、パージ弁１４からは、先ず水素よりも残留ガスが先に排出される状態となり、次第に水素ガスと残留ガスとの混合ガスが排出され始める。
【００３１】
次にコントローラ２は、ステップＳ２において、ステップＳ１で立ち上がった発電電圧を抑制する動作を行う。このとき、コントローラ２は、水素極１ａ及び空気極１ｂの電極と予備負荷４とを導通させ、燃料電池スタック１の発電電圧を予備負荷４に印加することで、予備負荷４に電流を供給させる。また、コントローラ２は、電圧センサ３により検出している現在の発電電圧が、カソード電極触媒の腐食を進行させるような所定値以上となった場合に、燃料電池スタック１と予備負荷４とを導通させても良い。
【００３２】
これにより、時刻ｔ１から僅かに遅れた時刻ｔ２から予備負荷４に発電電流が流れ始めて、発電電流がピーク値まで上昇すると（図３（ｄ））、発電電圧が低下し始める（図３（ｃ））。このように発電電圧が低下すると、カソード電極触媒の腐食が進行するためのエネルギーが抑制されることになる。
【００３３】
このように、ステップＳ１及びステップＳ２の処理を行った後には、残留ガスが排出されて、パージ弁１４から排出されるガスが水素リッチとなるほど、すなわち水素極１ａ内の水素濃度が高くなるほど、時刻ｔ３以降に示すように水素極１ａ内のガス圧力が低くなる。
【００３４】
次にコントローラ２は、ステップＳ３において、水素極１ａ内のガス圧力を検出し、現在の水素極１ａ内のガス圧力に燃料電池スタック１の電気化学反応による補正を加えた水素極１ａ内のガス圧力が、所定値Ｐ２以下か否かを判定する。なお、このガス圧力の補正処理については、後述する。
【００３５】
そして、コントローラ２は、補正後の水素極１ａ内のガス圧力が所定値Ｐ２以下ではないと判定した場合には、この判定を繰り返し、補正後の圧力が所定値Ｐ２以下となったと判定した場合にはステップＳ４に処理を進める。
【００３６】
そして、コントローラ２は、ステップＳ４において、水素極１ａ内の残留ガスを水素ガスで置換する動作が完了して終了したと時刻ｔ５で判断し、ステップＳ５において、コンプレッサ２１を駆動すると共に空気調圧弁２２を開状態にするようにアクチュエータ２３を制御して、空気極１ｂに空気の供給を開始して、例えば駆動モータの要求トルクに応じた水素量及び空気量を供給する通常発電に移行する（図３（ａ）、（ｂ））。
【００３７】
「ガス圧力の補正処理」
このステップＳ３において行う補正処理は、水素極１ａ内で電気化学反応によって消費される水素ガス量を考慮して、水素極１ａ内の水素ガスへの置換が完了したか否かを判定するための水素極１ａ内のガス圧力を補正する。
【００３８】
仮に、ステップＳ１以降の水素ガスの供給開始後に電気化学反応によって水素が消費されないとすると、水素ボンベ１１から水素極１ａに供給した水素量と同量のガスをパージ弁１４から排出する必要が生じる。このため、水素極１ａ内の圧力は、図３（ｅ）の特性Ｂに示すように時間と共に変化し、水素極１ａが水素ガスで置換完了されたときの水素極１ａの圧力はＰ２となる。
【００３９】
これに対し、空気極１ｂ内に酸素が存在している状態で水素極１ａに水素ガスの供給を開始した場合には、電気化学反応によって供給した水素ガスが消費され、パージ弁１４から排出すべきガス量は少なくなる。このため、水素極１ａ内の圧力は、図３（ｅ）の特性Ａに示すように、特性Ｂよりも低い状態で時間と共に変化して、水素極１ａが水素ガスで置換完了されたときの水素極１ａの圧力は、Ｐ２よりも低いＰ１となる。
【００４０】
したがって、電気化学反応によって消費される水素量を考慮せずにステップＳ３の所定値をＰ２に設定した場合には、実際の水素ガス圧力が特性Ａに示すようになり、本例において水素ガスへの置換が完了したと判断する時刻ｔ５よりも早い時刻ｔ４となってしまう。
【００４１】
そこで、第１実施形態に係る燃料電池システムのコントローラ２は、図示しない電流センサによって例えば予備負荷４に流れる発電電流を監視し、当該発電電流値から水素ガスへの置換に寄与せずに電気化学反応によって消費された水素量を推定する。次にコントローラ２は、推定した消費した水素量と、現在パージ弁１４から排出されている水素量とを加算した水素量をパージ弁１４から排出するために必要な水素極１ａ内の圧力を推定し、当該推定した水素極１ａ内の圧力を所定値Ｐ２とする。このとき、コントローラ２は、例えばパージ弁１４を通過する水素量を検出する流量センサ（図示せず）のセンサ信号を読み込んで、実際にパージ弁１４から排出された水素量を求める。
【００４２】
具体的には、コントローラ２は、パージ弁１４を通過する体積流量を求める下記の式１に示すような演算式を用いる。
【数１】
2005235546.tif 000003
【００４３】
ここで、式１において、Ｑは体積流量、Ａはパージ弁１４の開口面積、ρ０はガス密度、κは比熱比、ｐ０はパージ弁１４の上流圧力、ｐｅはパージ弁１４の下流圧力である。この式１において、κ、ｐｅ、ρ０は一定と仮定することができ、体積流量Ｑを発電電流に基づく消費された水素量とパージ弁１４から排出されている水素量とを加算した水素量とすると、パージ弁１４の上流圧力（水素極１ａのガス圧力）ｐ０を補正後の水素極１ａのガス圧力として求めることができる。そして、コントローラ２は、式１により求めた補正後の水素極１ａのガス圧力と、所定値Ｐ２とを比較することになる。
【００４４】
［第１実施形態の効果］
以上詳細に説明したように、本発明を適用した第１実施形態に係る燃料電池システムによれば、空気極１ｂへ酸素を供給しない状態で、水素極１ａに水素ガスを供給し、水素極１ａの水素ガスへの置換が完了すると判断されるまで、空気極１ｂの残留酸素によって発生する発電電圧が所定値以下になるように予備負荷４を燃料電池スタック１に接続するので、カソード電極触媒の腐食を進行させるエネルギーを抑制することができると共に、水素極１ａ内が水素ガスに確実に置換したことを判断することができるので、通常発電に移行した後に水素極１ａ内の水素ガスが不足するという事態を回避することができる。
【００４５】
また、この燃料電池システムによれば、システム起動時に、水素ガス流量を一定にしている場合、水素極１ａ内の残留ガスが水素ガスに置換されるに従って低くなる燃料電池スタック１内のガス圧力を、電気化学反応によって消費された水素量が置換に寄与しないものとして補正し、当該補正後のガス圧力と、電気化学反応による消費が発生しないと仮定した場合の水素ガスへの置換が完了したときの水素極１ａ内のガス圧力Ｐ２とを比較して、水素極１ａの水素ガスへの置換が完了したか否かを判断するので、更に正確に水素極１ａ内の水素ガスへの置換を判断することができる。
【００４６】
また、この燃料電池システムによれば、電気化学反応によって消費された水素量を実際の電流値から推定するので、システム起動毎に空気極１ｂの残留酸素量が変化する場合であって水素ガスを供給開始したときの発電量の立ち上がり方が変化する場合であっても、正確に水素極１ａ内が水素ガスに置換されたことを判断することができる。
【００４７】
また、この燃料電池システムによれば、前回の停止時刻からの経過時間が長い場合と短い場合とで、水素極１ａ内の水素ガスへの置換に要する水素量を調整することができ、例えば、空気極１ｂに残留酸素が少ない場合に余分な水素ガスを供給する必要なく、水素ガスが無駄となることを抑制することができる。
【００４８】
［第２実施形態］
つぎに、第２実施形態に係る燃料電池システムについて説明する。なお、上述の第１実施形態と同様の部分については同一符号を付することによりその詳細な説明を省略する。
【００４９】
この第２実施形態に係る燃料電池システムは、システム起動時に、水素極１ａ内のガス圧力を一定にして水素ガスを供給するように水素圧力調整弁１２の開度調整を行い、電気化学反応によって消費される水素量に応じて水素圧力調整弁１２の開度を補正して水素極１ａの水素ガスへの置換が完了したかを判断する点で、第１実施形態とは異なる。
【００５０】
この第２実施形態における起動処理を図４に示すように、コントローラ２は、先ずステップＳ１１において、パージ弁１４を開状態とし、空気極１ｂに空気を供給しない状態で（図５（ａ））、水素極１ａ内のガス圧力が一定となるように水素圧力調整弁１２の開度を調整することにより、水素ガスを水素極１ａに供給開始する。これにより、時刻ｔ１１にて水素極１ａへの水素ガスの供給が開始され、時刻ｔ１２にて水素ガス流量が所定流量まで立ち上がり（図５（ｂ））、水素供給流路Ｌ１及び水素極１ａに存在していたガスは、外部に排出開始される。
【００５１】
そして、空気極１ｂの残留酸素と供給開始した水素ガスとを用いて電気化学反応が起こり、時刻ｔ１１から発電電圧（図５（ｃ））が立ち上がり、ステップＳ２においては、燃料電池スタック１と予備負荷４とを導通させることにより、時刻ｔ１２から発電電流（図５（ｄ））が立ち上がる。このとき、水素極１ａ内の多くの水素ガスが消費されるため、水素圧力調整弁１２の開度を大きくする。
【００５２】
その後、パージ弁１４の開度が一定である場合、水素極１ａの残留ガス（空気）の分子量が水素ガスの分子量よりも高いので、パージ弁１４から残留ガスが排出されにくいために水素極１ａ内のガス圧力が高くなる方向に作用するため、水素極１ａ内のガス圧力を一定とするためには、水素圧力調整弁１２の開度を次第に小さくする必要がある。そして、水素極１ａ内の残留ガスが次第に少なくなって、水素ガス量が多くなると、パージ弁１４から排出されるガス量が多くなり、時刻ｔ１３以降においては水素圧力調整弁１２の開度を次第に大きくする（図５（ｅ））。
【００５３】
次にコントローラ２は、ステップＳ１２において、現在の制御対象となっている水素圧力調整弁１２の開度に燃料電池スタック１の電気化学反応による補正を加えた水素圧力調整弁１２の開度が、所定値ａ２以上か否かを判定する。なお、この水素圧力調整弁１２の開度の補正処理については、後述する。
【００５４】
そして、コントローラ２は、補正後の水素圧力調整弁１２の開度が所定値ａ２以上ではないと判定した場合には、この判定を繰り返し、補正後の水素圧力調整弁１２の開度が所定値ａ２以上となったと判定した場合にはステップＳ４に処理を進める。
【００５５】
そして、コントローラ２は、ステップＳ４において、水素極１ａ内の残留ガスを水素ガスで置換する動作が完了して終了したと時刻ｔ１５で判断し、ステップＳ５において、空気極１ｂに空気の供給を開始して、例えば駆動モータの要求トルクに応じた水素量及び空気量を供給する通常発電に移行する（図５（ａ）、（ｂ））。
【００５６】
「水素圧力調整弁１２の開度の補正処理」
ステップＳ１２において行う補正処理は、水素極１ａ内で電気化学反応によって消費される水素ガス量を考慮して、水素極１ａ内の水素ガスへの置換が完了したか否かを判定するための水素圧力調整弁１２の開度を補正する。
【００５７】
仮に、ステップＳ１１以降の水素ガス圧力を一定にした場合に、電気化学反応によって水素が消費されないとすると、水素極１ａ内の残留ガスの分子量が水素ガスの分子量よりも高いので、供給する必要がある水素供給量が少なくなる。このとき、水素極圧力が一定のため、重たいガスを排出するときは、供給水素量も少なくなる必要があり、水素圧力調整弁１２の開度は、図５（ｅ）の特性Ｄに示すように時間と共に変化し、水素極１ａが水素ガスで置換完了されたときの水素圧力調整弁１２の開度はａ２となる。
【００５８】
これに対し、電気化学反応によって供給した水素ガスが消費される場合には、水素極１ａ内のガス圧力を一定とするためには水素極１ａに供給する水素ガス量を多くする必要があるため、水素圧力調整弁１２の開度は、図５（ｅ）の特性Ｃに示すように、電気化学反応が発生した場合には大きくする必要があるので特性Ｄよりも大きくなり、水素極１ａが水素ガスで置換完了されたときの水素圧力調整弁１２の開度はａ２よりも大きいａ１となる。
【００５９】
したがって、電気化学反応によって消費される水素量を考慮せずにステップＳ１２の所定値をａ２に設定した場合には、実際の水素圧力調整弁１２の開度が特性Ｃに示すようになり、本例において水素ガスへの置換が完了したと判断する時刻ｔ１５よりも早い時刻ｔ１４となってしまう。
【００６０】
そこで、第２実施形態に係る燃料電池システムのコントローラ２は、実際の水素圧力調整弁１２の開度から水素供給量を推定すると共に、置換に寄与しない電気化学反応によって消費された水素量を発電電流から推定する。そしてコントローラ２は、推定した水素供給量から、推定した消費された水素量を差し引いた水素量を、水素極１ａに供給するために必要な水素圧力調整弁１２の開度ａ２を推定する。
【００６１】
具体的には、コントローラ２は、水素圧力調整弁１２を通過する体積流量を求める上記式１に示すような演算式を用いる。ここで、上記式１におけるＡは、水素圧力調整弁１２の開口面積とし、ｐ０は水素圧力調整弁１２の上流圧力、ｐｅは水素圧力調整弁１２の下流圧力（水素極１ａ内の一定ガス圧力）とする。そして、この式１において、κ、ｐｅ、ρ０は一定と仮定することができ、予め水素ボンベ１１の仕様等により既知のｐ０を用いて、体積流量Ｑを、推定した水素供給量から推定した消費された水素量を差し引いた水素量とすると、Ａを特性Ｄのような変化として求めることができる。そして、コントローラ２は、式１により求めた補正後の水素圧力調整弁１２の開度と、所定値ａ２とを比較することになる。
【００６２】
［第２実施形態の効果］
以上詳細に説明したように、本発明を適用した第２実施形態に係る燃料電池システムによれば、システム起動時に、水素極１ａ内のガス圧力を一定にしている場合、水素極１ａ内の残留ガスが水素ガスに置換されるに従って大きくなる水素圧力調整弁１２の開度を、電気化学反応によって消費された水素量が置換に寄与しないものとして補正し、当該補正後の水素圧力調整弁１２の開度と、電気化学反応による消費が発生しないと仮定した場合の水素ガスへの置換が完了したときの水素圧力調整弁１２の開度ａ２とを比較して、水素極１ａの水素ガスへの置換が完了したか否かを判断するので、正確に水素極１ａ内の水素ガスへの置換を判断することができる。
【００６３】
すなわち、この燃料電池システムによれば、水素ガスを供給開始したときの発電量の立ち上がり方が変化する場合であっても、正確に水素極１ａ内が水素ガスに置換されたことを判断することができ、水素ガスの無駄な排出、置換が完了したと判断した時の水素ガス不足及びカソード電極触媒の腐食を回避することができる。
【００６４】
［第３実施形態］
つぎに、第３実施形態に係る燃料電池システムについて説明する。なお、上述の実施形態と同様の部分については同一符号を付することによりその詳細な説明を省略する。
【００６５】
第３実施形態に係る燃料電池システムは、図６に示すように、燃料電池スタック１の水素ガス出口から分岐し、当該水素ガス出口から排出された水素ガスを水素ガス入口に循環させる水素循環流路Ｌ１１を設け、当該水素循環流路Ｌ１１と水素供給流路Ｌ１との合流点にエゼクタポンプ３１を設けた点で、上述した第１実施形態とは異なる。
【００６６】
このような燃料電池システムは、システム起動時に、コントローラ２により第１実施形態と同様に図２の処理を行い、図３に示すような動作を行う。ここで、ステップＳ１においては、水素圧力調整弁１２を通過させる水素ガス流量と水素循環流路Ｌ１１からエゼクタポンプ３１に導入される水素ガス流量とを加算した水素ガス流量が一定となるように水素圧力調整弁１２の開度を調整する。このとき、コントローラ２は、水素ボンベ１１からエゼクタポンプ３１に流す水素ガスの流速に応じた、水素循環流路Ｌ１１からエゼクタポンプ３１に取り込まれて水素極１ａに導入される水素流量をエゼクタポンプ３１の特性等に基づいて予め記憶しており、当該循環された水素流量と水素ボンベ１１から水素極１ａに直接導入する水素流量との和を一定とするように水素圧力調整弁１２の開度を調整する。
【００６７】
このような第３実施形態に係る燃料電池システムによれば、システムの起動時に、水素ガスをエゼクタポンプ３１によって循環させて燃料電池スタック１に供給している場合に、燃料電池スタック１から排出されて再度燃料電池スタック１に循環される水素ガス量を考慮して、水素極１ａ内の水素ガスへの置換を判断する水素ガス圧力を水素極１ａで消費した水素量によって補正するので、システムの状態によって発電電圧の立ち上がり方が異なる場合であっても、正確に水素極１ａの水素ガスへの置換を行うことができる。
【００６８】
［第４実施形態］
つぎに、第４実施形態に係る燃料電池システムについて説明する。なお、上述の実施形態と同様の部分については同一符号を付することによりその詳細な説明を省略する。
【００６９】
第４実施形態に係る燃料電池システムは、図６に示すように、燃料電池スタック１の水素ガス出口から分岐し、当該水素ガス出口から排出された水素ガスを水素ガス入口に循環させる水素循環流路Ｌ１１を設け、当該水素循環流路Ｌ１１と水素供給流路Ｌ１との合流点にエゼクタポンプ３１を設けた点で、上述した第２実施形態とは異なる。
【００７０】
このような燃料電池システムは、システム起動時に、コントローラ２により第１実施形態と同様に図４の処理を行い、図５に示すような動作を行う。ここで、ステップＳ１１においては、水素極１ａ内のガス圧力を一定とするように水素圧力調整弁１２の開度を調整し、ステップＳ２にて燃料電池スタック１と予備負荷４とを接続させた状態で、ステップＳ１２で水素ボンベ１１から直接水素極１ａに導入する水素ガスとエゼクタポンプ３１から循環させて水素極１ａに導入する水素ガスとによって水素極１ａの水素ガスへの置換が完了したか否かを判定する。
【００７１】
このとき、コントローラ２は、水素ボンベ１１からエゼクタポンプ３１に流す水素ガスの流速に応じた、水素循環流路Ｌ１１からエゼクタポンプ３１に取り込まれて水素極１ａに導入される水素流量をエゼクタポンプ３１の特性等に基づいて予め記憶しており、当該循環された水素流量と水素ボンベ１１から水素極１ａに直接導入する水素流量との和を水素極１ａに導入した場合に、水素極１ａのガス圧力を一定とするように水素圧力調整弁１２の開度を調整する。
【００７２】
このような第４実施形態に係る燃料電池システムによれば、システムの起動時に、水素ガスをエゼクタポンプ３１によって循環させて燃料電池スタック１に供給している場合に、燃料電池スタック１から排出されて再度燃料電池スタック１に循環される水素ガス量を考慮して、水素極１ａ内の水素ガスへの置換を判断する水素圧力調整弁１２の開度を補正するので、システムの状態によって発電電圧の立ち上がり方が異なる場合であっても、正確に水素極１ａの水素ガスへの置換を行うことができる。
【００７３】
［第５実施形態］
つぎに、第５実施形態に係る燃料電池システムについて説明する。なお、上述の実施形態と同様の部分については同一符号を付することによりその詳細な説明を省略する。
【００７４】
この第５実施形態に係る燃料電池システムは、図６に示した構成であって、水素圧力調整弁１２とエゼクタポンプ３１との間のガス圧力を補正し、当該補正したガス圧力が以上となった場合に、水素極１ａの水素ガスへの置換が完了したと判定する点で、上述した実施形態とは異なる。
【００７５】
この第５実施形態における起動処理を図７に示すように、コントローラ２は、先ずステップＳ１１において、パージ弁１４を開状態とし、空気極１ｂに空気を供給しない状態で（図８（ａ））、水素極１ａ内のガス圧力が一定となるように水素圧力調整弁１２の開度を調整する。これにより、時刻ｔ２１にて水素極１ａへの水素ガスの供給が開始され、時刻ｔ２２にて水素ガス流量が所定流量まで立ち上がり（図８（ｂ））、水素供給流路Ｌ１及び水素極１ａに存在していたガスは、外部に排出開始される。
【００７６】
そして、空気極１ｂの残留酸素と供給開始した水素ガスとを用いて電気化学反応が起こり、時刻ｔ２１から発電電圧（図８（ｃ））が立ち上がり、ステップＳ２においては、燃料電池スタック１と予備負荷４とを導通させることにより、時刻ｔ２２から発電電流（図８（ｄ））が立ち上がる。
【００７７】
そして、水素極１ａ内の残留ガスが次第に少なくなって、水素ガス量が多くなると、パージ弁１４から排出されるガス量が多くなり、時刻ｔ２３以降においては水素圧力調整弁１２の開度を次第に大きくすることにより、水素圧力調整弁１２の下流のガス圧力が高くなる（図８（ｅ））。
【００７８】
次にコントローラ２は、ステップＳ２１において、現在の水素圧力調整弁１２の下流のガス圧力に燃料電池スタック１の電気化学反応による補正を加えた水素圧力調整弁１２の下流のガス圧力が、所定値Ｐ４以上か否かを判定する。なお、この水素圧力調整弁１２の下流のガス圧力の補正処理については後述する。また、このステップＳ２１においては、水素圧力調整弁１２の下流のガス圧力を検出する圧力センサ（図示せず）からのセンサ信号をコントローラ２により読み込むものとする。
【００７９】
そして、コントローラ２は、補正後の水素圧力調整弁１２の下流のガス圧力が所定値Ｐ４以上ではないと判定した場合には、この判定を繰り返し、補正後の水素圧力調整弁１２の下流のガス圧力が所定値Ｐ４以上となったと判定した場合にはステップＳ４に処理を進める。
【００８０】
そして、コントローラ２は、ステップＳ４において、水素極１ａ内の残留ガスを水素ガスで置換する動作が完了して終了したと時刻ｔ２５で判断し、ステップＳ５において、空気極１ｂに空気の供給を開始して、例えば駆動モータの要求トルクに応じた水素量及び空気量を供給する通常発電に移行する（図８（ａ）、（ｂ））。
【００８１】
「水素圧力調整弁１２の下流のガス圧力の補正処理」
ステップＳ２１において行う補正処理は、水素極１ａ内で電気化学反応によって消費される水素ガス量を考慮して、水素極１ａ内の水素ガスへの置換が完了したか否かを判定するための水素圧力調整弁１２の下流のガス圧力を補正する。
【００８２】
仮に、ステップＳ１以降の水素ガス圧力を一定にした場合に、電気化学反応によって水素が消費されないとすると、水素極１ａ内の残留ガスの分子量が水素ガスの分子量よりも高いので、供給する必要がある水素供給量が少なくなる。このとき、水素極圧力が一定のため、重たいガスを排出するときは、供給水素量も少なくなる必要があり、水素圧力調整弁１２の下流のガス圧力は、図８（ｅ）の特性Ｆに示すように時間と共に変化し、水素極１ａが水素ガスで置換完了されたときの水素圧力調整弁１２の下流のガス圧力はＰ４となる。
【００８３】
これに対し、電気化学反応によって供給した水素ガスが消費される場合には、水素極１ａ内のガス圧力を一定とするためには水素極１ａに供給する水素ガス量を多くする必要があるため、水素圧力調整弁１２の下流のガス圧力は、図８（ｅ）の特性Ｅに示すように、電気化学反応が発生した場合には大きくする必要があるので特性Ｆよりも大きくなり、水素極１ａが水素ガスで置換完了されたときの水素圧力調整弁１２の下流のガス圧力はＰ４よりも大きいＰ３となる。
【００８４】
したがって、電気化学反応によって消費される水素量を考慮せずにステップＳ２１の所定値をＰ４に設定した場合には、実際の水素圧力調整弁１２の下流のガス圧力が特性Ｅに示すようになり、本例において水素ガスへの置換が完了したと判断する時刻ｔ２５よりも早い時刻ｔ２４となってしまう。
【００８５】
そこで、第５実施形態に係る燃料電池システムのコントローラ２は、実際の水素圧力調整弁１２の下流のガス圧力から水素供給量を推定すると共に、置換に寄与しない電気化学反応によって消費された水素量を発電電流から推定する。そしてコントローラ２は、推定した水素供給量から、推定した消費された水素量を差し引いた水素量を、水素極１ａに供給するために必要な水素圧力調整弁１２の下流のガス圧力を推定する。
【００８６】
具体的には、コントローラ２は、水素圧力調整弁１２を通過する体積流量を求める上記式１に示すような演算式を用いて、第２実施形態と同様な演算を行うことにより、補正後の水素圧力調整弁１２の下流のガス圧力を求めて、所定値Ｐ４と比較することになる。
【００８７】
［第５実施形態の効果］
以上詳細に説明したように、本発明を適用した第５実施形態に係る燃料電池システムによれば、システム起動時に、水素極１ａのガス圧力を一定にしている場合、水素極１ａが水素ガスへ置換されるに従って減少する水素圧力調整弁１２の下流のガス圧力を電気化学反応によって消費される水素量を考慮して補正するので、正確に水素極１ａの水素ガスへの置換を判断することができる。
【００８８】
［第６実施形態］
つぎに、第６実施形態に係る燃料電池システムについて説明する。なお、上述の実施形態と同様の部分については同一符号を付することによりその詳細な説明を省略する。
【００８９】
この第６実施形態に係る燃料電池システムは、燃料電池スタック１の電気化学反応によって発生する生成水が水素極１ａのガスに含まれることによって、水素極１ａのガスのうち水素が含まれる密度が変化することを考慮して、水素極１ａが水素ガスに置換されたかを判断する点で、上述した実施形態とは異なる。
【００９０】
上述したように、水素圧力調整弁１２やパージ弁１４を通過するガスの体積流量は、式１で表されるが、ガス密度ρ０が変化した場合にガスの体積流量が変化する。ここで、燃料電池スタック１から排出されるガスには、燃料電池スタック１の電気化学反応によって発生した生成水が水蒸気として含まれており、パージ弁１４から排出されるガスの水蒸気含有量によって残留ガス及び水素ガスの排出量が異なる。また、燃料電池スタック１から排出されるガスの水蒸気含有量は、燃料電池スタック１の温度が高いほど、ガスの飽和水蒸気圧が増加するため、増加する。
【００９１】
したがって、この第６実施形態に係る燃料電池システムは、水素流量を一定にしてシステムを起動するときに、水素極１ａの水素ガスへの置換が完了したと判断する水素極１ａのガス圧力Ｐ２を補正する。
【００９２】
すなわち、コントローラ２は、電気化学反応によって消費された水素量と現在パージ弁１４から排出されている水素量とを加算した水素量を、パージ弁１４から排出するために必要な水素極１ａ内の圧力を推定するに際して、現在パージ弁１４から排出されている水素量を燃料電池スタック１の温度に応じて補正する。このとき、コントローラ２は、燃料電池スタック１の温度センサ（図示せず）により検出された温度値から、水素極１ａから排出されるガスの水蒸気量を推定する。そして、コントローラ２は、水素の分子量、残留ガス（空気）の分子量、水蒸気の分子量との比から、現在パージ弁１４から排出されている水素量を補正することにより、当該補正した水素量と電気化学反応によって消費された水素量とを加算した水素量を、パージ弁１４から排出するための水素極１ａ内の圧力を補正する。
【００９３】
このような燃料電池システムによれば、水素極１ａから排出されるガスが水蒸気飽和状態となっていても、燃料電池スタック１の温度が高くなるほど、パージ弁１４から排出ガス中に含まれる水分濃度を低くして、水素極１ａの水素ガスへの置換が完了したと判断する水素極１ａのガス圧力を補正するので、より正確に水素極１ａが水素ガスに置換されたことを判断することができる。
【００９４】
また、この第６実施形態に係る燃料電池システムは、水素極１ａのガス圧力を一定にしてシステムを起動するときに、水素極１ａのガス圧力への置換が完了したと判断する水素圧力調整弁１２の開度ａ２を補正する。
【００９５】
すなわち、コントローラ２は、実際の水素圧力調整弁１２の開度から推定した水素供給量から消費された水素量を差し引いた水素量を、水素極１ａに供給するために必要な水素圧力調整弁１２の開度ａ２を推定するに際して、実際の水素圧力調整弁１２の開度から推定した水素供給量を、燃料電池スタック１の温度によって決定される水蒸気量に基づいて補正する。これにより、コントローラ２は、水蒸気量に基づいて補正した水素供給量と、電気化学反応によって消費されている水素量とから、水素圧力調整弁１２の開度ａ２を補正する。
【００９６】
このような燃料電池システムによれば、水素極１ａから排出されるガスが水蒸気飽和状態となっていて水素極１ａへの水素供給量が変化する場合であっても、水素極１ａ内の水蒸気量に基づいて水素圧力調整弁１２の開度を補正するので、より正確に水素極１ａが水素ガスに置換されたことを判断することができる。
【００９７】
更に、この第６実施形態に係る燃料電池システムは、水素圧力調整弁１２とエゼクタポンプ３１との間のガス圧力を一定にしてシステムを起動するときに、水素極１ａの水素ガスへの置換が進行するほど、圧力調整弁１２とエゼクタポンプ３１との間のガス圧力を大きくする場合に、水素極１ａの水蒸気量によって圧力調整弁１２とエゼクタポンプ３１との間のガス圧力を補正する。これにより、燃料電池システムは、より正確に水素極１ａが水素ガスに置換されたことを判断することができる。
【００９８】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００９９】
【図１】本発明を適用した第１実施形態に係る燃料電池システムの構成を示すブロック図である。
【図２】本発明を適用した第１実施形態に係る燃料電池システムの起動処理の処理手順を示すフローチャートである。
【図３】本発明を適用した第１実施形態に係る燃料電池システムの起動処理を行った時の動作を説明する図であって、（ａ）は空気流量、（ｂ）は水素流量、（ｃ）は発電電圧、（ｄ）は発電電流、（ｅ）は水素極のガス圧力を示す。
【図４】本発明を適用した第２実施形態に係る燃料電池システムの起動処理の処理手順を示すフローチャートである。
【図５】本発明を適用した第２実施形態に係る燃料電池システムの起動処理を行った時の動作を説明する図であって、（ａ）は空気流量、（ｂ）は水素流量、（ｃ）は発電電圧、（ｄ）は発電電流、（ｅ）は水素圧力調整弁の開度を示す。
【図６】本発明を適用した第３実施形態に係る燃料電池システムの構成を示すブロック図である。
【図７】本発明を適用した第５実施形態に係る燃料電池システムの起動処理の処理手順を示すフローチャートである。
【図８】本発明を適用した第５実施形態に係る燃料電池システムの起動処理を行った時の動作を説明する図であって、（ａ）は空気流量、（ｂ）は水素流量、（ｃ）は発電電圧、（ｄ）は発電電流、（ｅ）は水素圧力調整弁とエゼクタポンプとの間のガス圧力を示す。
【符号の説明】
【０１００】
１  燃料電池スタック
２  コントローラ
３  電圧センサ
４  予備負荷
１１  水素ボンベ
１２  水素圧力調整弁
１３，１５，２３  アクチュエータ
１４  パージ弁
２１  コンプレッサ
２２  空気調圧弁
３１  エゼクタポンプ
Ｌ１  水素供給流路
Ｌ２  水素排出流路
Ｌ３  空気供給流路
Ｌ４  空気排出流路
Ｌ１１  水素循環流路
【図１】
2005235546.tif 000004
【図２】
2005235546.tif 000005
【図３】
2005235546.tif 000006
【図４】
2005235546.tif 000007
【図５】
2005235546.tif 000008
【図６】
2005235546.tif 000009
【図７】
2005235546.tif 000010
【図８】
2005235546.tif 000011